(57)【要約】【課題】ステープラーのクローズ構造の提供。【解決手段】このステープラーのクローズ構造は、一端の両側に枢結部が設けられたハンドルと、後方両側に該ハンドルの枢結部と枢設される枢接部が設けられたベースと、弾性当接片であって、両端の間に結合部が設けられ、該結合部の上方に上当接部が設けられ、該結合部の下方に下当接部が設けられ、該結合部と該ベースの枢接部が枢設され、該上当接部の端縁が該ハンドルの内縁に当て止めされ、該上当接部に折り曲げ部が設けられ、該下当接部の端縁が該ベースに当て止めされ、該弾性当接片が該ハンドルと該ベースの回転の空間を封じる、上記弾性当接片と、を包含し、該弾性当接片の結合部とベースの枢接部が枢接されて、該弾性当接片の上当接部と下当接部の二つの可動端が該ハンドル及び該ベースと相互に当て止めし、該ステープラーのハンドルとベースの回転の空間を閉じて、手指が挟まれて怪我をするのを防止する。【選択図】図１
0003166185.tif 000002
【実用新案登録請求の範囲】
【請求項１】
ステープラーのクローズ構造において、
一端の両側にそれぞれ枢結部が設けられたハンドルと、
後方両側に該ハンドルの枢結部と枢設される枢接部がそれぞれ設けられたベースと、
弾性当接片であって、両端の間に結合部が設けられ、該結合部の上方に上当接部が設けられ、該結合部の下方に下当接部が設けられ、該結合部と該ベースの枢接部が枢設され、該上当接部の端縁が該ハンドルの内縁に当て止めされ、該上当接部に折り曲げ部が設けられ、該下当接部の端縁が該ベースに当て止めされ、該弾性当接片が該ハンドルと該ベースの回転の空間を封じる、上記弾性当接片と、
を包含したことを特徴とする、ステープラーのクローズ構造。
【請求項２】
請求項１記載のステープラーのクローズ構造において、該ベースの枢接部に枢接孔が設けられ、該ベースの枢接孔は該ベースの枢接部内に設置されたことを特徴とする、ステープラーのクローズ構造。
【請求項３】
請求項２記載のステープラーのクローズ構造において、該弾性当接片の結合部がそれぞれ結合孔を包含し、該結合孔は該結合部に設置されたことを特徴とする、ステープラーのクローズ構造。
【請求項４】
請求項３記載のステープラーのクローズ構造において、該ベースはピンを包含し、該ピンは該ベースの枢接部の枢接孔及び該弾性当接片の結合部の結合孔に挿通されることを特徴とする、ステープラーのクローズ構造。
【請求項５】
請求項１記載のステープラーのクローズ構造において、該弾性当接片は当て止め部を包含し、該当て止め部は該弾性当接片の該下当接部の下方に設けられることを特徴とする、ステープラーのクローズ構造。
【請求項６】
請求項５記載のステープラーのクローズ構造において、該ベースは当接部を包含し、該当接部は該ベースの底部に設けられて、該弾性当接片の当て止め部の当て止めすることを特徴とする、ステープラーのクローズ構造。
【考案の詳細な説明】
【技術分野】
【０００１】  本考案は、弾性当接片を利用してステープラーのハンドルとベースの回転の空間を閉じる、ステープラーのクローズ構造に関する。
【背景技術】
【０００２】  周知のステープラーの二つのアームの回転末端を閉じる構造としては、たとえば特許文献１及び２があり、これらはいずれもハンドルの末端に円弧形のクローズ用の座体が延設され、ハンドルの円弧形のアームとベースの回転空間に、クローズ構造が形成され、これにより、手指が挟まれて怪我をするのを防止する。このほか、特許文献３は、カバーを利用してステープラーの二つのアームの回転する後端を被覆し、その目的は、手指が挟まれて怪我をするのを防止することにある。また、特許文献４のステープラーのクローズ構造は、カバーの一端をベースに固定し、別端は自由端として、該カバーの内縁に圧接可能とし、カバーが該ハンドルとベースの二つのアームの回転末端を弾性クローズできるようにし、手指がステープラーに挟まれて怪我をするのを防止する。
【先行技術文献】
【特許文献】
【０００３】
【特許文献１】公開実用新案公報昭６０−１５７１８７号（実公平０１−０１１４２３号）
【特許文献２】特表平７−５０８４６９号
【特許文献３】公開実用新案公報昭６３−１００１６６号
【特許文献４】特許公報第４５２２８１０号
【考案の概要】
【考案が解決しようとする課題】
【０００４】  しかし、本考案者が発見したところによると、この特許文献４の周知のステープラーのクローズ構造は、二つの回転アームの後端を閉じることで、手指を挟んで怪我をするのを防止する機能を有するとはいえ、このクローズ構造のカバーの一端はベースに固定され、その別端の自由端はハンドルの一端内縁に長距離で圧接し、ゆえに、ハンドルが押圧されて針を打つ時、自由端とハンドルの間に円弧状のギャップを形成する弾性変形が発生し、手指を挟んで怪我をするのを防止する機能が喪失する。ゆえに、周知の技術の問題に対して、本考案は解決を図るためになされた。
【課題を解決するための手段】
【０００５】  上述の周知の技術の欠点を鑑み、長期のステープラーに対する研究及び一貫した構想により、本考案のステープラーのクローズ構造を創作した。それは、一端の両側に枢結部が設けられたハンドルと、後方両側に該ハンドルの枢結部と枢設される枢接部が設けられたベースと、弾性当接片であって、両端の間に結合部が設けられ、該結合部の上方に上当接部が設けられ、該結合部の下方に下当接部が設けられ、該結合部と該ベースの枢接部が枢設され、該上当接部の端縁が該ハンドルの内縁に当て止めされ、該上当接部に折り曲げ部が設けられ、該下当接部の端縁が該ベースに当て止めされ、該弾性当接片が該ハンドルと該ベースの回転の空間を封じる、上記弾性当接片と、を包含する。
【考案の効果】
【０００６】  本考案は周知の技術と比較して、確実に以下の効果を達成する。【０００７】  本考案のステープラーのクローズ構造は、該弾性当接片の結合部がベースの枢接部に枢接されて、該弾性当接片の上当接部と下当接部の二つの可動端が、該ハンドル及び該ベースと相互に当て止めされ、これにより、該弾性当接片がハンドルの押圧動作による針打ち時に、一方向の湾曲を発生することで、弾性当接片の作動折り曲げ時にハンドルとの間にギャップを形成し得る弾性当接片の弾性変形が減らされ、手指が挟まれて怪我をするのを防止する保護効果を達成する。【０００８】  本考案のステープラーのクローズ構造は、該弾性当接片が該ベースの枢接部に可動に枢接され、ゆえに、上当接部と下当接部の可動端がハンドルとベースの端縁に弾性当接し、確実に該弾性当接片の脱落を防止できる。
【図面の簡単な説明】
【０００９】
【図１】  本考案のステープラーのクローズ構造の分解図である。
【図２】  本考案のステープラーのクローズ構造の弾性当接片とベースの分解図である。
【図３】  本考案のステープラーのクローズ構造の組合せ後の外観図である。
【図４】  本考案のステープラーのクローズ構造の組合せ後の断面図である。
【図５】  本考案のステープラーのクローズ構造の動作表示図である。
【図６】  本考案のステープラーのクローズ構造の開放状態表示図である。
【考案を実施するための形態】
【００１０】  図１を参照されたい。本考案のステープラーのクローズ構造は、ハンドル１、ベース２、弾性当接片３を包含する。
【００１１】  該ハンドル１は、一端の両側それぞれに、枢結部１１が設けられ、該ハンドル１内に連動アーム１２が設けられ、連動アーム１２の一端はハンドル１の一端に枢接され、該連動アーム１２の別端両側にそれぞれ枢接孔１３が設けられている。
【００１２】  該ベース２は、上方の両側にそれぞれ枢接ブロック２１が設けられ、該連動アーム１２の枢接孔１３に枢接され、該ベース２の後方両側にそれぞれ枢接部２２が設けられ、該枢接部２２に枢接孔２２１が設けられ、ピン２３が穿たれて、該ハンドル１の枢結部１１に該ピン２３が枢接され、該ベース２の底部に当接部２４が設けられる。
【００１３】  該弾性当接片３は、両端の間に二つの結合部３１が設けられ、該結合部３１にはそれぞれ結合孔３１１が設けられ、該結合部３１の上方に、上当接部３２が設けられ、該結合部３１の下方に下当接部３３が設けられ、該結合部３１の結合孔３１１はベース２の枢接部２２の枢接孔２２１とピン２３で枢接され、該上当接部３２の端縁は該ハンドル１の内縁に当て止めされ、該上当接部３２の外縁面に折り曲げ部３４が設けられ、該下当接部３３の下方に当て止め部３５が設けられ、該ベース２の当接部２４に当て止めされ、該弾性当接片３は該ハンドル１と該ベース２の回転の空間を封じる。
【００１４】  図１から図３を参照されたい。ステープラーのクローズ構造は組み合わされて実施される時、連動アーム１２の一端がハンドル１の一端内縁に枢接され、連動アーム１２の枢接孔１３とベース２の枢接ブロック２１が枢接され、ピン２３でベース２の枢接部２２の枢接孔２２１と弾性当接片３の結合部３１の結合孔３１１が枢接され、ハンドル１の枢結部１１がベース２のピン２３の両側に嵌合されて枢接され、該弾性当接片３の上当接部３２の端縁が該ハンドル１の内縁に当て止めされ、該弾性当接片３の下当接部３３の当て止め部３５が、該ベース２の当接部２４に当て止めされ、該弾性当接片３がハンドル１とベース２の回転の空間を封じる。
【００１５】  図４を参照されたい。ステープラーのクローズ構造は、押圧動作前の開始状態の時は、該弾性当接片３は結合部３１で枢接され、弾性当接片３の上当接部３２と下当接部３３の二つの可動端はそれぞれ弾性湾曲して該ハンドル１と該ベース２の回転の空間を封じている。
【００１６】  図５に示されるように、ステープラーのクローズ構造は、ハンドル１が動作開始して針を打つ時、該ハンドル１が弾性当接片３の結合部３１を支点として、下向きに弾性当接片３の上当接部３２の端縁を押圧し、弾性当接片３の上当接部３２を前向きに折り曲げ、且つ下当接部３３の当て止め部３５を逆方向に該ベース２の当接部２４に当接させ、これにより、弾性当接片３の二つの可動端がハンドル１及びベース２と当接する。こうして、ステープラーのハンドル１とベース２の回転の空間を閉じて、弾性当接片３の１方向の湾曲を防止し、弾性当接片３の、ハンドル１との間にギャップを形成する弾性変形を減らす。
【００１７】  図６に示されるように、ステープラーのクローズ構造は、ハンドル１が開放されて針が充填される時、該ハンドル１と連動アーム１２はピン２３と枢接ブロック２１を回転の中心として後方に開放され、ハンドル１内縁が該弾性当接片３の上当接部３２の端縁より遠く離れた時、該弾性当接片３の上当接部３２が続いて該連動アーム１２の後方の回転により押圧され、且つ折り曲げ部３４の設計により、弾性当接片３の折り曲げ力が緩衝され、同時に、下当接部３３が良好な弾性作用力を有し、これにより、ベース２の枢接部２２に枢接された弾性当接片３の二つの可動の上当接部３２と下当接部３３が、依然としてハンドル１とベース２の回転の空間を封じ、弾性当接片３が一方向に力を受けて湾曲するのを防止し、これにより、弾性当接片３がハンドル１との間にギャップを形成する弾性変形を減らす。且つ弾性当接片３の二つの可動端縁はハンドル１とベース２の作動時の順調性を維持でき、手指が挟まれて怪我をするのを防止する保護効果を達成する。
【００１８】  総合すると、本考案のステープラーのクローズ構造は、弾性当接片の結合部とベースの枢接部を枢接して、弾性当接片の上当接部と下当接部の二つの可動端を、ハンドルとベースに相互に当接させ、該ステープラーのハンドルとベースの回転の空間を閉じて、手指が挟まれて怪我をするのを防止する機能を達成する。
【００１９】  本考案の構成機構はその出願前に頒布された刊行物に記載がなくまた公開されておらず、実用新案登録の要件に符合する。本考案の上述の具体的実施例に運用された技術原理を運用し、本考案の構想によりなされた変更で、その発生する作用効果が本考案の明細書及び図面に記載のカバーする精神を逸脱しない時は、いずれも本考案の範囲内に属する。
【符号の説明】
【００２０】１  ハンドル            １１  枢結部
１２  連動アーム        １３  枢接孔
２  ベース              ２１  枢接ブロック
２２  枢接部            ２２１  枢接孔
２３  ピン              ２４  当接部
３  弾性当接片          ３１  結合部
３１１  結合孔          ３２  上当接部
３３  下当接部          ３４  折り曲げ部
３５  当て止め部
【図１】
0003166185.tif 000003
【図２】
0003166185.tif 000004
【図３】
0003166185.tif 000005
【図４】
0003166185.tif 000006
【図５】
0003166185.tif 000007
【図６】
0003166185.tif 000008